(57)【特許請求の範囲】
【請求項１】
内部の染毛料を上端の吐出し管から該管のバルブ開放の下、封入ガスの膨脹による内圧で吐出するようになっている容器の上端に装着されるブラシによる染毛料塗布具であって、
ブラシは容器上端への装着で内空が前記吐出し管と連通するようにされた中空形であると共に、
実質上のブラシブリッスルをなすピンがブラシヘッドの左右両側端部にブラシ長さ方向へ列をなして設けられ、且つ先端がブラシヘッド内側へ狭まった形状になっており、
ブラシ内空に通じる開口が前記ピンの左右並列体で画された領域内でブラシヘッド前壁板に穿設され、
前記開口の前面に位置させて、前記ブラシヘッド前壁板に形成した前方に突出する舌片を備えていることを特徴とする染毛料塗布具。
【請求項２】
内部の染毛料を上端の吐出し管から該管のバルブ開放の下、封入ガスの膨脹による内圧で吐出するようになっている容器と、該容器上端に装着されたブラシとを具有し、
ブラシは容器上端への装着で内空が前記吐出し管と連通するようにされた中空形であると共に、
実質上のブラシブリッスルをなすピンがブラシヘッドの左右両側端部にブラシ長さ方向へ列をなして設けられ、且つ先端がブラシヘッド内側へ狭まった形状になっており、
ブラシ内空に通じる開口が前記ピンの左右並列体で画された領域内でブラシヘッド前壁板に穿設され、
前記開口の前面に位置させて、前記ブラシヘッド前壁板に形成した前方に突出する舌片を備えていることを特徴とする染毛料塗布具。
【請求項３】
ピンがブラシ長さ方向へ左右の列で相互に位相のずれた配置になっていることを特徴とする請求項１記載の染毛料塗布具。
【請求項４】
ピンがブラシ長さ方向へ左右の列で相互に位相のずれた配置になっていることを特徴とする請求項２記載の染毛料塗布具。
【請求項５】
ブラシヘッドの上，下端に、左右のピン並列体で区画された空間の上，下の端を遮蔽する端板が形成されていることを特徴とする請求項１記載の染毛料塗布具。
【請求項６】
ブラシヘッドの上，下端に、左右のピン並列体で区画された空間の上，下の端を遮蔽する端板が形成されていることを特徴とする請求項２記載の染毛料塗布具。
【発明の詳細な説明】
【０００１】
【産業上の利用分野】
本発明は染毛料（当業者にそう呼ばれている）塗布具、詳しくは内部の染毛料を上端の吐出し管から該管のバルブ開放の下、封入ガスの膨脹による内圧で吐出するようになっている容器の上端に装着され、その装着で内空が前記吐出し管と連通するようになっている中空形のフラシを構成要素として包含し、吐出し管より吐出した染毛料を、ブラシ内空及び該内空から実質上のブラシブリッスルであるピンに通じる開口を経て、該ピンに供給する形式の染毛料塗布具に関する。
【０００２】
この種の染毛料塗布具は、染毛料を封入した容器を然るべき大きさとし、これを把持部に充て、容器に装着のブラシにより染毛料を髪に塗布する仕様の下、頭皮や手を染毛料で汚すことなく、これを行なうことができ、重宝である。
【０００３】
【従来の技術】
このような形式の染毛料塗布具は既に知られているが、ブラシのブリッスルに十分な量の染毛料を含浸或いは抱持させ、しかもこれをブリッスルの全長に亘って旨くなすことについては、未解決である。これらのことが達成されないと、直ぐに染毛料がかすれて旨く髪に塗布できないし、またブリッスルから染毛料が一度に不必要に多く髪へ移る上に、髪の根元から毛先全体についての染毛料の移りも不同となり、均一な塗布ができない。
【０００４】
従来、前記形式の染毛料塗布具として、ブラシに代え中空形の櫛を塗布メンバーに充てるものも知られているが、これはブラシより染毛料の含浸或いは抱持性が相当低く、前示事象を解決するものではない。
【０００５】
【発明が解決しようとする課題】
本発明の課題は、ブラシのブリッスルに十分な量の染毛料を抱持させ、しかもこれをブリッスルの全長に亘って旨くなし得る前記形式の染毛料塗布具を開発するにある。
【０００６】
【課題を解決するための手段】
本発明の特徴は、内部の染毛料を上端の吐出し管から該管のバルブ開放の下、封入ガスの膨脹による内圧で吐出するようになっている容器の上端に装着されるブラシによる染毛料塗布具、或いは前記と同構成の容器とこれの上端に装着されたブラシを具有する染毛料塗布具であって、ブラシは容器上端への装着で内空が前記吐出し管と連通するようにされた中空形であると共に、実質上のブラシブリッスルをなすピンがブラシヘッドの左右両側部にブラシ長さ方向へ列をなして設けられ、且つ先端がブラシヘッド内側へ挟まった形状になっており、ブラシ内空に通じる開口が前記ピンの左右の並列体で画された領域内でブラシヘッド前壁板に穿設されており、前記開口の前面に位置させて、前記ブラシヘッド前壁板に形成した前方に突出する舌片を備えていることにある。
【０００７】
本発明において、前記構成の容器上端に前記ブラシを装着するのは、該容器を設計的に予め然るべき大きさに定め、これを把持部に充て、容器上端のブラシで髪に染毛料を梳くようにして塗布する仕様での本発明具使用の重宝さを得るためである。
【０００８】
本明細書において、本発明に関し「染毛料」なる語は文字通りの染毛料つまり毛染め剤のみならず、ヘヤムース等の整髪剤を含む広義の意味で使用されている。このことは特許請求の範囲の欄の記載についても同様である。
【０００９】
【実施例】
本発明の実施態様例を示す図面を参照して本発明を説明する。
【００１０】
容器１は内部に染毛料及び液化ガスが封入されている。容器１は上端に吐出し管２を有し、吐出し管２はエーロゾル噴射器の吐出し管と同様な方式の吐出構造になっている。即ち管２は、これを開閉制御するバルブ（図示せず）を備え、且つ上下動可能でスプリング（図示せず）により上方へ付勢されている。吐出し管２を押し下げると、そのバルブが開き、バルブ開放の下、容器１内の染毛料が容器１の封入液化ガスの膨脹による容器１内圧で管２より吐出する。管２の押下げ機構には、後述するブラシ８に形成した筒状把持部９内に設置され、支点３を中心に図１の時計，反時計回りに回動可能な揺れ腕４、及び該腕４の自由端に形成した押しボタン５によるものを充てることができる。揺れ腕４の支点３は定位置で前記筒状把持部９内壁に枢支されたピン３１による形式とすればよい。揺れ腕４の押しボタン５は、筒状把持部９の側壁の所要部に設けた開口６から上下動自在に該部外へ少し突出している。揺れ腕４は、下側に傾斜カム面７を持ち、図１の時計方向への回動で傾斜カム面７により管２上のピン２１を押し下げる。すると、管２も押し下げられる。
【００１１】
容器１の上端には、ブラシ８が装着される。この装着は、ブラシ８のブラシヘッド８１基端に筒状把持部９を結合し、該筒状把持部９の基部９１を容器１頭部にねじ接合等の適宜の手段により取外し可能に結合する様式とすることができる。筒状把持部９は該部それ自体が本発明具の把持部の全てをなすのではなく、容器１の頭部と併せて把持部をなしている。
【００１２】
ブラシ８は容器１上端への装着で、内空１０が容器１の吐出し管２と連通するようにされた中空形のものである。ブラシ８には、実質上のブラシブリッスルをなすピン１１がブラシヘッド８１の左右両側で側端寄りの個所に、ブラシ長さ方向へ列をなして設けられている。ピン１１は先端がブラシヘッド８１内側へ挟まった形状とされている。ピン１１の左右並列体で画された領域内でブラシヘッド８１の前壁板８２に、内空１０に連通する開口１２が穿設されている。
【００１３】
本発明では、容器１の吐出し管２から吐出され、ブラシ内空１０に入った染毛料は、開口１２を経て、実質上のブラシブリッスルをなすピン１１の左右並列体で画された領域内で、ブラシヘッド８１の前壁板８２前面に吐出される。この吐出された染毛料は、ブラシヘッド８１左右両側の列をなすピン１１がブラシヘッド内側へピン先端が狭まった形状になっているため、ピン１１の左右並列体で該並列体の間に十分な量を抱持されることになる。ピン１１が斯様な形状であることは、ピン先端部が、ピン１１の左右並列体で区画された空間Ｓ内の染毛料がピン先端側へ出ようとするのを抑制するのに寄与する。従って、染毛料の前示抱持はピンの全長に亘り効果的になされる。
【００１４】
こうして本発明によると、ブラシブリッスルをなすピンに十分な量の染毛料を抱持させ、しかもこれを該ピンの全長に亘って効果的に達成することを得る。
【００１５】
本発明では、ピン１１をブラシ長さ方向へ左右の列で相互に位相のずれた配置とすること、フブラシヘッド８１の上，下端に、左右のピン１１並列体で区画された空間の上，下の端を遮蔽する端板１３，１４を形成することを付加できる。この前者付加は、左右のピン並列体で区画された空間Ｓ内の染毛料の抱持を該空間Ｓの左右の側につき良化するのに役立ち、後者付加は前示抱持を空間Ｓの上下の側につき良化するのに寄与する。
【００１６】
図で符号１５は開口１２の前面に位置させて、ブラシヘッド前壁板８２に形成した前方へ突出する舌片で、開口１２より空間Ｓに吐出される染毛料を上，下に分散させる。
【００１７】
【発明の効果】
上記のように本発明は、ブラシブリッスルをなすピンに十分な量の染毛料を抱持させ、しかもこれを該ピンの全長に亘って旨くなし得る冒頭に述べた形式の染毛料塗布具を開発することの達成を奏功する。
【図面の簡単な説明】
【図１】本発明の一実施態様を、一部を縦断して示す側面図である。
【図２】図１に示す塗布具のブラシ主要部の正面図を示す。
【図３】図２の平面図である。
【図４】図２のＩＶ〜ＩＶ線断面図を示す。
【図５】図４の横断面図である。
【図６】図１の塗布具における揺れ腕の平面図を示す。
【図７】同揺れ腕の縦断側面図である。
【図８】同揺れ腕の背面図を示す。
【符号の説明】
１    容器
２    吐出し管
３    ブラシ
８１  ブラシヘッド
１０  ブラシ内空
１１  ピン
１２  開口
１３，１４  端板
【図１】
0003603166.tif 000002
【図２】
0003603166.tif 000003
【図３】
0003603166.tif 000004
【図４】
0003603166.tif 000005
【図５】
0003603166.tif 000006
【図６】
0003603166.tif 000007
【図７】
0003603166.tif 000008
【図８】
0003603166.tif 000009